(57)【特許請求の範囲】
【請求項１】
飲料用貯留水に水素を追加注入するための水素注入装置であって、該水素注入装置は、水と水素発生反応する物質を表面に有する粒状物を底部に載置し、さらに水素反応用の水を貯留させる基準容器と、該基準容器は密封状態でその上方内部と前記飲料用貯留水とを流体的に接続する連通手段と、該連通手段を介して前記基準容器から前記飲料用貯留水への水素注入を増強する補助手段と、を備え、
前記連通手段は、前記基準容器から前記飲料用貯留水への水素注入経路を通常経路と補助増強経路とに分岐させたダクトであり、前記補助手段は、前記基準容器に載置される粒状物よりも水素発生反応が大きい補助物質を貯留する補助増強容器と、該補助増強容器から前記基準容器内の水に投入する投入装置と、該投入手段の作動と連動して前記ダクトの通常経路を補助経路に切り替えて水素を飲料用貯留水に注入する切替弁と、を有する水素注入装置。
【請求項２】
飲料用貯留水に水素を追加注入するための水素注入装置であって、該水素注入装置は、水と水素発生反応する物質を表面に有する粒状物を底部に載置し、さらに水素反応用の水を貯留させる基準容器と、該基準容器は密封状態でその上方内部と前記飲料用貯留水とを流体的に接続する連通手段と、該連通手段を介して前記基準容器から前記飲料用貯留水への水素注入を増強する補助手段と、を備え、
前記連通手段は、前記基準容器から前記飲料用貯留水への水素注入経路を構成し、飲料水を貯留するガロンタンクに連結可能なダクトと、該ダクトに連結されて前記ガロンタンクの下方まで延びて飲料水に水素を放出可能な放出部材と、を有し、前記補助手段は、前記基準容器に載置される粒状物よりも水素発生反応が大きい補助物質を貯留する補助増強容器と、該補助増強容器から前記基準容器内の水に投入する投入装置と、を有する水素注入装置。
【請求項３】
飲料用貯留水に水素を追加注入するための水素注入装置であって、該水素注入装置は、水と水素発生反応する物質を表面に有する粒状物を底部に載置し、さらに水素反応用の水を貯留させる基準容器と、該基準容器は密封状態でその上方内部と前記飲料用貯留水とを流体的に接続する連通手段と、該連通手段を介して前記基準容器から前記飲料用貯留水への水素注入を増強する補助手段と、を備え、
飲料用貯留水は、これを貯留させる容器の上部の注水口で流体的に接続されるガロンタンクから注水され、前記連通手段は、前記基準容器から飲料用貯留水に直接水素を注入する経路を形成するダクトと、前記注水口と、で構成され、前記補助手段は、前記基準容器に載置される粒状物よりも水素発生反応が大きい補助物質を貯留する補助増強容器と、該補助増強容器から前記基準容器内の水に投入する投入装置と、を有する水素注入装置。
【請求項４】
前記補助増強容器に貯留する補助物質は、それぞれマグネシウムを表面被覆した複数の粒状物であることを特徴とする請求項３に記載の水素注入装置。
【請求項５】
前記補助増強容器に貯留する補助物質は、表面上の水素化アルミニウム成分によって水素発生反応をさせる複数の粒状物であることを特徴とする請求項３に記載の水素注入装置。
【請求項６】
飲料用貯留水を充填させたガロンタンクに水素を追加注入するための水素注入装置であって、該水素注入装置は、水と水素発生反応する物質を表面に有する粒状物を底部に載置し、さらに水素反応用の水を貯留させる密封式の容器部と、該容器部の内部上方から底部に亘って鉛直に延びて上端近傍で容器部内の雰囲気を吸入可能な孔を設けた中空のシリンダ部材と、該中空筒部材の内部で上下摺動自在なピストン部材と、該ピストン部材を下方に摺動させるための押圧手段と、下方に摺動されたピストン部材を上方に摺動させて復元する弾性部材と、前記シリンダ部材に流体的に接続されてガロンタンク内の飲料用貯留水まで延びる水素注入部材と、前記容器部の底部でガロンタンクの上部に位置決めさせる固定手段とを備えており、前記押圧手段を押圧すると前記ピストン部材を下方に摺動させてシリンダ部材内部の雰囲気を前記水素注入部材に移送する、ことを特徴とする水素注入装置。
【請求項７】
前記粒状物は、複数で構成され、それぞれマグネシウムで表面被覆される、ことを特徴とする請求項６に記載の水素注入装置。
【請求項８】
前記粒状物は、複数で構成され、表面上の水素化アルミニウム成分によって水素発生反応をさせることを特徴とする請求項６に記載の水素注入装置。
【発明の詳細な説明】
【技術分野】
【０００１】
本発明は、汎用のウォーターサーバーやガロンタンク等に水素を追加注入可能な水素注入装置に関する。
【背景技術】
【０００２】
近年の飲料水市場の拡大に従って浄化水や天然水の提供を可能とするウォーターサーバーが、企業やスポーツ施設ひいては家庭にまで普及しつつある。これにしたがって、ユーザが所望する飲料水の水質も多様化してきた。そのなかで近年、水素を多量に含む所謂水素水が注目されており、癌その他の各種の病気の原因とされる活性酸素の消去に有効であり摂取望む声がスポーツ業界、医学界等で高まってきている。この水素水の生成器としては、マグネシウム粒子と水との化学反応を利用したものが知られている。具体的には、水素水生成器をウォーターサーバー内に投入・載置して内部に貯留する水に水素を付与して、水素水を生成するものがある。【０００３】
しかしながら、上記ウォーターサーバー型水素水生成器では、規定のマグネシウム粒と水とを反応させて水素を発生させるものであり（Ｍｇ＋２Ｈ２Ｏ→Ｍｇ（ＯＨ）２＋Ｈ２）、水素の発生量には限界があるため耐用期間毎に交換等メンテナンスが必要となる。このメンテナンスではウォーターサーバーの飲料水貯留タンク内の水素水生成器を除去して新たな水素水生成器を投入するため、作業が煩雑であり、衛生面の不都合もある。また、水素発生量は上記化学反応式に依存するため、水素注入量の逐次調整が困難であり、例えばウォーターサーバーに追加した直後の飲料水に多量の水素を注入して短時間で水素水を生成することや、水素水毎に水素の含有量を調整または増加すること等ができない。水素ボンベをウォーターサーバーに直接連結することで短時間に水素水を生成するものも存在しているが、水素ボンベの取り扱いや保管方法には多くの留意が必要であり、引火による爆発等の大きな危険性も伴う。
【先行技術文献】
【特許文献】
【０００４】
【特許文献１】特開２００７−１６７６９６号公報
【特許文献２】特開２００４−４１９４９号公報
【発明の概要】
【発明が解決しようとする課題】
【０００５】
上記課題に鑑みて本発明は創作されたものであり、本発明はメンテナンス時の作業効率や衛生面が良好であり、水素含有量を機動的に調整しうる水素水を生成することのできる水素注入装置を提供することを目的とする。
【課題を解決するための手段】
【０００６】
本発明は、飲料用貯留水に水素（以下、単に上述のごとき「水素ガス」とも称する）を追加注入するための水素注入装置を提供する。該水素注入装置は、水と水素発生反応する物質を表面に有する粒状物を底部に載置し、さらに水素反応用の水を貯留させる基準容器と、該基準容器は密封状態でその上方内部と前記飲料用貯留水とを流体的に接続する連通手段と、該連通手段を介して前記基準容器から前記飲料用貯留水への水素注入を増強する補助手段と、を備えている。【０００７】
本発明の水素注入装置では、まず、飲料水を貯留する容器とは別に、水素ガス発生装置（前記基準容器）と、該水素ガス発生装置の水素発生量を促進させる補助増強容器と、を備えている。本水素注入装置では「別個」の装置を追加することで既存のウォーターサーバーや水素水サーバー内に水素を注入・増強することができ、メンテナンス時に「別個」の装置ごと、または「別個」の装置内の反応物質を交換するだけで作業が完結するため、作業性が向上する、ひいては作業時の衛生面も有利である。この「別個」の装置について本水素注入装置では通常時の水素ガス発生装置（前記基準容器）と、水素発生量促進時の補助増強容器との２種類で構成され、いずれで水素を注入するかでウォーターサーバー内の水素含有量を機動的に変化させることができる。【０００８】
また、本水素注入装置の前記連通手段は、前記基準容器から前記飲料用貯留水への水素注入経路を通常経路と補助増強経路とに分岐させたダクトであり、前記補助手段は、前記基準容器に載置される粒状物よりも水素発生反応が大きい補助物質を貯留する補助増強容器と、該補助増強容器から前記基準容器内の水に投入する投入装置と、該投入装置の作動と連動して前記ダクトの通常経路を補助増強経路に切り替えて水素を飲料用貯留水に注入する切替弁と、を有することができる。【０００９】
なお、前記補助増強容器に貯留する補助物質は、それぞれマグネシウムを表面被覆した複数の粒状物であってもよく、表面上の水素化アルミニウム成分によって水素発生反応をさせる複数の粒状物であってもよい。【００１０】
水素を発生させるには、種々の反応が存在する。従来は、その反応の安定性や反応時間の長さ等を考慮して、上述したマグネシウムを用いて水素発生させる水素発生装置が代表的である。その一方、昨今アルミニウム粉末を用いた水素発生反応（後述）も水素発生量を確保する上で有効であり定常安定的であることがわかってきた。また、今後更なる飲料水向けの水素発生反応が提供される可能性もある。しかしながら、一般的に大量の水素を発生させる反応はいきおい反応熱が過大であることや、反応物質量に対する反応時間が短いこと等の問題が想定される（上記アルミニウム反応も同様である）。【００１１】
一方、水素含有水はその水の中に含有する水素量の初期値は変動するものである。例えば、容器の材質や放置時間、新たな水分の注入量等によって水素濃度が違うものであり、所定の水素濃度に達するまでの水素量は逐次異なる。また、水素含有水の使用用途によっても所望する水素量は異なる。本水素注入装置ではこの様な問題に機動的に対応しうるものとして創作されたものであり、所定の水素量で長期間反応可能な通常状態での経路と迅速に水素量を増加させたい補助経路を適宜切り替えて飲料用貯留水を提供することが可能である。尚、補助経路で移送される水素の発生反応の問題点（上記）は一時的に選択されるものであるため、本水素注入装置全体としては通常経路が優先され問題とされない点でも有利である。換言すれば、本水素注入装置では飲料水が所望する水素含有量に機動的に対応して水素量を変化させることができると共に、各種水素発生反応の利害得失を互いに相殺することができる点が大きな特徴である。【００１２】
また、前記連通手段は、前記基準容器から前記飲料用貯留水への水素注入経路を構成し、飲料水を貯留するガロンタンクに連結可能なダクトと、該ダクトに連結されて前記ガロンタンクの下方まで延びて飲料水に水素を放出可能な放出部材と、を有し、前記補助手段は、前記基準容器に載置される粒状物よりも水素発生反応が大きい補助物質を貯留する補助増強容器と、該補助増強容器から前記基準容器内の水に投入する投入装置と、を有しても良い。【００１３】
従来、水素水生成器は専用機が多く、水素水を所望するユーザーは「別個」の水素水生成器を設置する必要があり、煩雑であり、コストや設置スペースの点でも問題があった。このことは既存のウォーターサーバ市場にまで水素水市場が拡大していく障壁となっていた。これに対して、本水素注入装置は、既存のウォーターサーバー市場で汎用のガロンタンクを有したウォーターサーバーに後付けで対応することが可能であるため、水素水を生成する専用機を新たに導入する必要がなく、簡便かつ安価で水素水を所望するユーザのニーズに対応することができる。【００１４】
また、飲料用貯留水は、これを貯留させる容器の上部の注水口で流体的に接続されるガロンタンクから注水され、前記連通手段は、前記基準容器から飲料用貯留水に直接水素を注入する経路を形成するダクトと、前記注水口と、で構成される。また、前記補助手段は、
前記基準容器に載置される粒状物よりも水素発生反応が大きい補助物質を貯留する補助増強容器と、該補助増強容器から前記基準容器の水に投入する投入装置と、を有することが好ましい。尚、前記補助増強容器に貯留する補助物質は、それぞれマグネシウムを表面被覆した複数の粒状物または、水素化アルミニウム（ＡｌＨ３）が好ましい。【００１５】
前述した様に、前記基準容器から飲料用貯留水に直接水素を注入できるとともに、飲料用貯留水に含有されなかった（余った）水素をその上部に設置された補給用のガロンタンクにも注入することができる構成になっている。その結果、補給用のガロンタンク内の水自体も同時に水素水にすることができ、ガロンタンク内の補給水の初期水素含有量も上げて待機させることができる。このため、飲料用貯留水を貯留する容器へ補給水を充填した後に、多量の水素を注入する必要性が低減され、一度に多くの水素水を提供することが可能となる。【００１６】
更に、飲料用貯留水を充填させたガロンタンクに水素を追加注入するための水素注入装置であって、該水素注入装置は、水と水素発生反応する物質を表面に有する粒状物を底部に載置し、さらに水素反応用の水を貯留させる密封式の容器部と、該容器部の内部上方から底部に亘って鉛直に延びて上端近傍で容器部内の雰囲気を吸入可能な孔を設けた中空のシリンダ部材と、該中空筒部材の内部で上下摺動自在なピストン部材と、該ピストン部材を下方に摺動させるための押圧手段と、下方に摺動されたピストン部材を上方に摺動させて復元する弾性部材と、前記シリンダ部材に流体的に接続されてガロンタンク内の飲料用貯留水まで延びる水素注入部材と、前記容器部の底部でガロンタンクの上部に位置決めさせる固定手段と、を備えており前記押圧手段を押圧すると前記ピストン部材を下方に摺動させてシリンダ部材内部の雰囲気を前記水素注入部材に移送することを特徴とする。前記粒状物は、複数で構成され、それぞれマグネシウムで表面被覆されることを特徴とする。【００１７】
本水素注入装置は、水素を発生させる前記容器部と、飲料用貯留水を充填させたガロンタンクと、を直接連結することにより、汎用の据置型ウォーターサーバーと比べて大幅に小型化することが可能となる。また、ガロンタンク内の飲料用貯留水を直接水素含有水にすることが可能であり、例えば保管しているガロンタンク内の飲料用貯留水を水素水にしながら保管することができ、ガロンタンクを交換したとき直ちに又は迅速に水素水を提供できる点においても有利である。
【図面の簡単な説明】
【００１８】
【図１】本発明に係るウォーターサーバー型水素水生成器を示した模式図である。
【図２】他の本発明である水素水生成容器を示した模式図である。
【図３】他の本発明である水素水生成容器を示した模式図であり、(a)は組立図、(B)は展開図である。
【図４】他の本発明である水素水生成容器を示した模式図である。
【発明を実施するための形態】
【００１９】
本発明の水素注入装置の一実施形態について説明する。
【００２０】
図１は、本実施形態に係る水素注入装置の一例を示した模式図である（図中の波線間は、部材の外観と断面の境界を示している。以下、他の図においても同様）。図１に示した水素注入装置は、概ね水素の発生に用いる水素発生タンク１と、飲料用貯留水（以下、本明細書では単に「飲料用水」とも称する）を貯めたサーバー内蔵タンク３と、水素発生の促進に用いるアルミニウム粉末備蓄層５と、から構成されている。
【００２１】
水素発生タンク１は、上方に開放された容器１３を内部入れ子状に備えている。この容器１３内には、反応用水１５と、この反応用水１５と反応することで水素を発生させる表面にマグネシウムを焼き付けたボール状のマグネシウム粒１７とが共に入れられる。また、容器１３の最下部側面には、容器１３から水素発生タンク１を貫通して外部に通じるドレン２４が設けられており、使用済みの反応用水１５を排出することが可能である。また、容器１３の上方には反応用水１５とマグネシウム粒１７とによって発生した水素を一時的に貯留可能なスペース１９が設けられている。このスペース１９の側面側は、水素発生タンク１を貫通させた反応用水道水注入口２１が設けられ、この反応用水道水注入口２１を介して外部から水素発生タンク１内に、水１５を補充することが可能となっている。
【００２２】
水素発生タンク１内部の容器１３で発生させた水素（反応式  Ｍｇ＋２Ｈ２Ｏ→Ｍｇ（ＯＨ）２＋Ｈ２）はスペース１９まで上昇し、スペース１９から水素発生タンク１の天面を通過する。そして水素はサーバー内蔵タンク３の側面に接続された通常ダクト９を通ってサーバー内蔵タンク３内部へ流入する。通常ダクト９とサーバー内蔵タンク３との嵌合部には、直径50mmのフッ素フィルム２２が設けられており、水素のみが通常ダクト９からサーバー内蔵タンク３に移送され、サーバー内蔵タンク３内の飲料用水７が通常ダクト９へ逆流することを防いでいる。また、サーバー内蔵タンク３と通常ダクト９との嵌合部には逆止弁が設けられており、フッ素フィルム２２と同様にサーバー内蔵タンク３内部へ向かう方向にだけ水素が流れ、サーバー内蔵タンク３内の水７が通常ダクト９への逆流を抑止する。サーバー内蔵タンク３内部には、このサーバー内蔵タンク３の天面に設けられた飲料水注入口２５から注入された飲料用水７が貯留され、サーバー内蔵タンク３内部に侵入した水素は、この飲料用水７と混合されることとなる。
【００２３】
また、アルミニウム粉末備蓄層５には、天面に開口可能な蓋２７が設けられており、蓋２７を開口してアルミニウム粉末２３（ＡｌＨ３）をアルミニウム粉末備蓄層５内へ投入する。このアルミニウム粉末２３は水素発生タンク１における水素の発生を促進させることとなる。また、アルミニウム粉末備蓄層５の下面とアルミニウム粉末２３の充填量をコントロールするアルミニウム粉末充填装置３１とは投下ダクト２９を介して連通されており、投下ダクト２９を通ってアルミニウム粉末２３がアルミニウム粉末充填装置３１内部に移送される。アルミニウム粉末２３は、アルミニウム粉末充填装置３１の指定された分量が、アルミニウム粉末充填装置３１の下面から水素発生タンク１の側面に接続されたアルミニウム粉末誘導ダクト３３を通過して、容器１３内部へ侵入し、反応用水１５と反応することで水素の発生が促進されることとなる（２ＡｌＨ３＋３Ｈ２Ｏ→Ａｌ２Ｏ３＋６Ｈ２）。
【００２４】
尚、アルミニウム粉末２３を用いて水素の発生を促進させる場合、水素は、上述する通常ダクト９からサーバー内臓タンク３へ移送する経路（以下、単に「通常経路」とも称する）とは異なるターボダクト３５を使用する経路（以下、「ターボ経路」とも称する）でサーバー内蔵タンク３に移送される。ターボダクト３５は、通常ダクト９に設けられた切替弁３７により分岐され、切替弁３７の作動によって通常経路とターボ経路とが切り替えられる。尚、切替弁３７はアルミニウム粉末２３を容器１３内へ投入する際のアルミニウム粉末充填装置３１と同期して作動する。また、ターボダクト３５とサーバー内蔵タンク３との接続部においても、逆止弁が設けられており、サーバー内蔵タンク３内部へ向かう方向にだけ水素が流れ、サーバー内蔵タンク３内の前記水７がターボダクト３５に逆流することを回避する。
【００２５】
ターボダクト３５とサーバー内蔵タンク３との嵌合部は、通常ダクト９とサーバー内蔵タンク３との嵌合部と異なり、水素発生バブリング口３９が設けられている。ターボダクト３５からサーバー内蔵タンク３に流入する水素が、この水素発生バブリング口３９によって微粒な気泡に変換され、通常ダクト９を通過する通常時と比べてより効率的に飲料用水７と混合させることができる。
【００２６】
次に、図２を参照すれば他の本発明である水素注入装置を示している。図２は、本実施形態に係る水素注入装置における、詳述したサーバー内蔵タンク３に代替して、既存のウォーターサーバーを用いて使用することを示した模式図である。上部にガロンタンク４３を有する、概ね基本的な構造のウォーターサーバーを用いることが望ましい。水素発生タンク１内のスペース１９に接続した連結ダクト４１の先端部を、既存のウォーターサーバーにおける飲料水タンクの天面から内部に挿入し、連結ダクト４１と、ガロンタンク４３と、の嵌合部に接続器４５を用いて接続する。また、連結ダクト４１の先端部においても、水素に対して水素発生バブリング口３９と同様に水素を微粒な気泡に変換させる連結用水素発生バブリング口４７が備わっている。
【００２７】
次に、図３(a)、(b)においても他の本発明であるウォーターサーバー型水素水生成器の模式図を示している。概ねガロンタンクの形状をしたガロンタンク４９に、簡易化した小型水素ガス発生タンク５１を組み合わせて使用することができる。小型水素ガス発生タンク５１の下部外周には、固定用ステイ５２が取付けられており、この固定用ステイ５２が取付けられた小型水素ガス発生タンク５１の下面をガロンタンク４９の天面に被せている。この小型水素ガス発生タンク５１は内部が中空形状になっており、天面中央から下面中央に渡って貫通してポンプ５３が配接され、ポンプ５３の下端部に水素ガス誘導パイプ５５が接続されている。小型水素ガス発生タンク５１の内部には、反応用水５７と、この反応用水５７と反応することで水素を発生させるボール状のマグネシウム粒５９とが入れられる。また、小型水素ガス発生タンク５１の天面には、外部に通じる反応用水道水注水口６１が設けられており、外部から小型水素ガス発生タンク５１内に反応用水５７を補充することが可能となっている。
【００２８】
さらにポンプ５３より水素ガスが飲料用水６９に注入される工程について追加言及する。ポンプ５３は、上方に円弧上に突出する弾性樹脂部材の押込部６３の下内部にピストン６４が配設され、このピストン６４が蛇腹部６５内で上下方向に配設されたシリンダ６６内を摺動する。したがって、押込部６３を手圧で下方に押し込むとピストン６４が下方に摺動し、シリンダ６６内の水素５８が押し込まれ水素ガス誘導パイプ５５内を下方に送られる。また、蛇腹部６５はその上端部がピストン６４の外周囲と連結しているため（符号６８参照）、ピストン６４の動きと連動して上下動する。シリンダ６６内の水素ガスが下方に送られた後に、押込部６３への手圧が解放されると蛇腹部６５はその弾性復元力で上方に伸びていき、これと追従してピストン６４も上方に移動する。このときシリンダ６６内は負圧になり、タンク５１内の水素５８の充填が求められる。
【００２９】
ここで再びピストン６４と蛇腹部６５とに注目すれば、まず蛇腹部６５は外部と密封されていないため水素ガス５８が蛇腹部６５内に充填している。また、ピストン６４にはその中央近傍に複数の孔６４ａが配設され、シリンダ６４の内部を貫通して底面６４ｂに連通している。したがって、シリンダ６６が上方に摺動し、孔６４ａがシリンダ６６の上端位置を超えると蛇腹部６５内の空間方向に開放され、水素ガスが流入できる状態になる。その結果、手圧が解放されてシリンダ６６内が負圧になると水素ガスが充填されることとなる。このような手圧の付与・解放の一連の動作を反復してピストン６４を上下動させることで水素ガスを下方に送り出すことが可能となっている。
【００３０】
また、ポンプ５３と水素ガス誘導パイプ５５との嵌合部には逆止弁が重なって設けられている。逆止弁はガロンタンク４９内部へ向かう方向にだけ水素を流し、ガロンタンク４９内の飲料用水６９がポンプ５３内へ逆流することを規制する。ガロンタンク４９の天面には、水素ガス誘導パイプ５５の挿入に用いる孔７１が設けられており、この孔７１によりガロンタンク４９内部の飲料用水６９は、水素が混合されることとなる。
【００３１】
次に、図４においても他の本発明である水素注入装置の模式図を示している。詳述した本実施形態に係る水素注入装置のサーバー内蔵タンク３に代替して、加工型サーバー内蔵タンク７３と加工型サーバー内蔵タンク７３の上部に大型タンク７５とを接続して使用するものである。加工型サーバー内蔵タンク７３と大型タンク７５とを組合せることで、水素水の需要が多い場合にも頻繁に飲料水を補充することなく供給することが可能となる。
【００３２】
詳述した水素発生タンク１内のスペース１９に接続した加工型連結ダクト７７の先端部を、加工型サーバー内蔵タンク７３の天面に位置する天蓋７９から内部に挿入する。この天蓋７９と加工型サーバー内蔵タンク７３との嵌合部にはパッキンＡ８５が挟まれており、加工型サーバー内蔵タンク７３内の飲料用水８１と水素とが外部へ漏れることを規制している。また、加工型連結ダクト７７の先端部においても、詳述した水素発生バブリング口３９と同様の効果を水素に付与させる加工型水素発生バブリング口８３が備わっており、加工型サーバー内蔵タンク７３内に侵入した水素が、加工型サーバー内蔵タンク７３内の飲料用水８１と効率的に混合される。
【００３３】
加工型サーバー内蔵タンク７３の天面に位置する天蓋７９と大型タンク７５とが接続されており、この嵌合部にはパッキンＢ８７が挟まれている。加工型サーバー内蔵タンク７３内上部に貯留された水素は、加工型サーバー内蔵タンク７３と大型タンク７５との嵌合部を通過し、大型タンク７５内の飲料用水８９と交換される形で大型タンク７５内へ移送される。大型タンク７５内の飲料用水８９は、大型タンク７５内に水素が移送される度にこの水素との混合と、下部の加工型サーバー内蔵タンク７３への移動とが行われることとなる。このため、飲料用水８１が消費される毎に水素と混合された飲料用水８９が加工型サーバー内蔵タンク７３内に補充される。
【００３４】
以上、本発明の実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３５】
本発明の水素注入装置はメンテナンス時の作業効率や衛生面が良好であり、水素含有量を機動的に調整しうる水素水を生成することができる。具体的には、水素の含有を所望する水又は溶液全般に使用することが可能である。水素水生成サーバーや汎用の容器に使用することができる。例えば、水素水サーバーやガロンタンク、ペットボトルの様な飲料用のみならず、エステや美容室等の化粧水や、洗顔料や、美容液の貯留容器に追加取付けて使用することが考えられる。本明細書での飲料用水は生体侵襲性が低い水を意味しており、その意味で美容用等にも適用されることは明白である。
【符号の説明】
【００３６】
１      水素発生タンク
３      サーバー内蔵タンク
５      アルミニウム粉末備蓄層
７      飲料用水
９      通常ダクト
１３    容器
１５    反応用水
１７    マグネシウム粒
１９    スペース
２１    反応用水道水注入口
２２    フッ素フィルム
２３    アルミニウム粉末
２４    ドレン
２５    飲料水注入口
２７    蓋
２９    投下ダクト
３１    アルミニウム粉末充填装置
３３    アルミニウム粉末誘導ダクト
３５    ターボダクト
３７    切替弁
３９    水素発生バブリング口
４１    連結ダクト
４３    ガロンタンク
４５    接続器
４７    連結用水素バブリング口
４９    ガロンタンク
５１    小型水素ガス発生タンク
５２    固定用ステイ
５３    ポンプ
５５    水素ガス誘導パイプ
５７    反応用水
５８    水素
５９    マグネシウム粒
６１    反応用水道水注水口
６３    押込部
６４    ピストン
６４a    孔
６４b    底面
６５    蛇腹
６６    シリンダ
６９    飲料用水
７１    孔
７３    加工型サーバー内蔵タンク
７５    大型タンク
７７    加工型連結ダクト
７９    天蓋
８１    飲料用水
８３    加工型水素発生バブリング口
８５    パッキンＡ
８７    パッキンB
８９    飲料用水
【図１】
0006014896.tif 000002
【図２】
0006014896.tif 000003
【図３】
0006014896.tif 000004
【図４】
0006014896.tif 000005